(57)【要約】      （修正有）【課題】遠目や暗闇でも発光ダイオードの光によってｐＨを確認することができ、即座に状況を確認・判断することのできるｐＨ表示器を提供する。  【解決手段】ｐＨ検出部によって検出・計測されたｐＨを、多色発光ダイオードの発光色に変換し、各ｐＨ帯に対応する色彩光を発することによりｐＨを表示する。またユーザーニーズにより、任意でｐＨと発光色を設定することもできる。電源電圧の低下による発光色の色ぶれを防止するため、電圧安定回路を併設し一定電圧を確保するとともに、電源電圧が一定値を下回った時には、動作電圧判別回路が働き、全回路への電流の供給を停止し、誤発色によるトラブルを未然に防止する。屋外にて継続的に使用する場合においては、ソーラーパネルからの電力供給を主電源とすることが出来、任意により前述機能を組合わせる。【選択図】図１
0003147093.tif 000002
【実用新案登録請求の範囲】
【考案の詳細な説明】
【技術分野】
【０００１】  本考案は、温度検出部と多色発光ダイオードの組み合わせによって土壌及び水の水素イオン濃度を光によって表示するｐＨ表示器に属する。
【背景技術】
【０００２】  従来のｐＨ表示は、ｐＨ検出部によって検出されたｐＨ値をデジタル数字に置き変えて表示していた。
【考案の開示】
【考案が解決しようとする課題】
【０００３】  従来のｐＨ表示方法は、ｐＨ表示計の近くまで寄って目視確認しないと、その時々のｐＨを把握出来なかった。
また、専門のｐＨ知識を有しない者にとっては、数字で表示されるｐＨに対して即座に状況を確認・判断することは容易ではなかった。
【課題を解決するための手段】
【０００４】  まず、赤色、緑色及び青色発光色素からなる多色発光ダイオードにおいて、色彩工学の知見に基づき、波長の短い光は低濃度域に、波長の長い光は高濃度域に、それぞれ水素イオン濃度色相を定義づける。
可視光域の下限波長（３８０ｎｍ）から上限波長（７８０ｎｍ）を色彩表示域とし、ｐＨ検出部の測定結果に応じて、紫⇒青⇒緑⇒黄色⇒赤へと表示される。【０００５】  それぞれの発光色には受け持ちのｐＨ帯を設定し、ｐＨ検出部で検出されたｐＨに対応する色彩光が表示される。【０００６】  ユーザーニーズにより、予め任意のｐＨと発色光を設定することも可能である。【０００７】  ｐＨ検出部は、ｐＨセンサー周辺の土壌及び水のｐＨを検出して測定する。
測定ｐＨ値はマイコン内で発色データへ変換され、発光色が定められる。【０００８】  電源である乾電池の電圧低下による多色発光ダイオードの発色ぶれを防止するため、一定電圧に保つ回路を併設すると共に、一定電圧を下回った時は機能を強制的に停止する。【０００９】  屋外にて継続的に使用する場合においては、ソーラーパネルからの電力供給を主電源とすることが出来、任意により前項機能を組合わせる。
【考案の効果】
【００１０】  本考案は、遠目でも暗闇でも、発光ダイオードの発する鮮明な光によって現状のｐＨ確認が出来るものであり、従来の目視確認の煩雑性を克服できる。
また、ｐＨ値を多色光で表示することにより、専門知識を有しない者でも、その時々の発光色により、現状の土壌及び水のｐＨ環境を即時に確認でき、環境変化により設定ｐＨ値と異なった時は即時に対応することが出来る。
【考案実施の形態】
【００１１】  ｐＨ検出部においては、センサーに接触する土壌及び液体のｐＨを検出し計測する。
【００１２】  ｐＨ−電圧変換回路及びマイコン部においては、計測されたｐＨを色表示データにに変換する。
【００１３】  ＬＥＤ発色部においては、色表示データに対応する色彩光を発光する。
【００１４】  スイッチ入力安定回路においては、ノイズを除去するとともに、スイッチ操作時のチャタリングの影響を防止する。
【００１５】  電圧安定回路においては、乾電池から供給された電流の電圧を一定幅内に収まるよう制御する。
【００１６】  動作電圧判別回路においては、電源から供給される電流の電圧が一定値を下回った段階で、全回路への電流の供給を停止し、誤発色を防止する。
【図面の簡単な説明】
【００１７】
【図１】図は、本考案のブロック図を示したものである。
【符号の説明】
【００１８】  各部名称は、以下のとおりである。
ａ．ｐＨ検出部
ｂ．ｐＨ−電圧変換回路
ｃ．マイコン
ｄ．ＬＥＤ発光部
ｅ．スイッチ入力安定化回路
ｆ．電圧安定化回路
ｇ．動作電圧判別回路
【図１】
0003147093.tif 000003
【手続補正書】
【提出日】平成20年9月2日(2008.9.2)
【手続補正１】
【補正対象書類名】実用新案登録請求の範囲
【補正対象項目名】全文
【補正方法】変更
【補正の内容】
【実用新案登録請求の範囲】
【請求項１】
水素イオン濃度検出部で検出された数値をデータ変換し、多色発光ダイオードの発光色により水素イオン濃度を表示するｐＨ表示器
【手続補正２】
【補正対象書類名】明細書
【補正対象項目名】全文
【補正方法】変更
【補正の内容】
【考案の詳細な説明】
【考案の詳細な説明】
【技術分野】
【技術分野】
【０００１】  本考案は、水素イオン濃度検出部と多色発光ダイオードの組み合わせによって土壤及び水の水素イオン濃度を光によって表示するｐＨ表示器に属する。
【背景技術】
【０００２】  従来のｐＨ表示は、ｐＨ検出部によって検出されたｐＨ値をデジタル数字に置き変えて表示していた。
【考案の開示】
【考案が解決しようとする課題】
【０００３】  従来のｐＨ表示方法は、ｐＨ表示計の近くまで寄って目視確認しないと、その時々のｐＨを把握出来なかった。
また、専門のｐＨ知識を有しない者にとっては、数字で表示されるｐＨに対して即座に状況を確認・判断することは容易ではなかった。
【課題を解決するための手段】
【０００４】  まず、赤色、緑色及び青色発光色素からなる多色発光ダイオードにおいて、色彩工学の知見に基づき、波長の短い光は寒色に、波長の長い光は暖色に、それぞれ色相を定義づける。
可視光域の下限波長（３８０ｎｍ）から上限波長（７８０ｎｍ）を色彩表示域とし、ｐＨ検出部の測定結果の分解能に応じて、紫⇒青⇒緑⇒黄色⇒赤へと変換表示される。【０００５】  それぞれの発光色には受け持ちのｐＨ帯を設定し、ｐＨ検出部で検出されたｐＨに対応する色彩光が表示される。【０００６】  ユーザーニーズにより、予め任意のｐＨと発色光を設定することも可能である。【０００７】  ｐＨ検出部は、ｐＨセンサー周辺の土壤及び水のｐＨを検出して測定する。
測定ｐＨ値はマイコン内で発色データへ変換され、発光色が定められる。【０００８】  電源である乾電池の電圧低下による多色発光ダイオードの発色ぶれを防止するため、一定電圧に保つ回路を併設すると共に、一定電圧を下回った時は機能を強制的に停止する。
【考案の効果】
【０００９】  本考案は、遠目でも暗闇でも、発光ダイオードの発する鮮明な光によって現状のｐＨ確認が出来るものであり、従来の目視確認の煩雑性を克服できる。
また、ｐＨ値を多色光で表示することにより、専門知識を有しない者でも、その時々の発光色により、現状の土壤及び水のｐＨ環境を即時に確認でき、環境変化により設定ｐＨ値と異なった時は即時に対応することが出来る。
【考案実施の形態】
【００１０】  ｐＨ検出部においては、センサーに接触する土壤及び液体のｐＨを検出し計測する。
【００１１】  ｐＨ−電圧変換回路及びマイコン部においては、計測されたｐＨを色表示データにに変換する。
【００１２】  ＬＥＤ発色部においては、色表示データに対応する色彩光を発光する。
【００１３】  スイッチ入力安定回路においては、ノイズを除去するとともに、スイッチ操作時のチャタリングの影響を防止する。
【００１４】  電圧安定回路においては、乾電池から供給された電流の電圧を一定幅内に収まるよう制御する。
【００１５】  動作電圧判別回路においては、電源から供給される電流の電圧が一定値を下回った段階で、全回路への電流の供給を停止し、誤発色を防止する。
【図面の簡単な説明】
【００１６】
【図１】図は、本考案のブロック図を示したものである。
【符号の説明】
【００１７】  各部名称は、以下のとおりである。
ａ．ｐＨ検出部
ｂ．ｐＨ−電圧変換回路
ｃ．マイコン
ｄ．ＬＥＤ発光部
ｅ．スイッチ入力安定化回路
ｆ．電圧安定化回路
ｇ．動作電圧判別回路